(57)【要約】【課題】既に埋設されている側溝２０をそのまま利用することができて、地盤の嵩上げを行うことのできる側溝用嵩上げ材を簡単な構成によって提供すること。【解決手段】埋設されている側溝２０内の嵩上げ材料３３上に載置されて、排水路面を形成することになる底板部１１と、この底板部１１から一体的に立ち上がる側板部１２と、これらの側板部１２と底板部１１との端面に形成された開口１３とにより構成したこと。【選択図】図１
2006200309.tif 000002
【特許請求の範囲】
【請求項１】
埋設されている側溝内の嵩上げ材料上に載置されて、排水路面を形成することになる底板部と、この底板部から一体的に立ち上がる側板部と、これらの側板部と前記底板部との端面に形成された開口とからなることを特徴とする側溝嵩上げ材。
【請求項２】
前記側板部または底板部の少なくともいずれか一方の端部に、他の側溝嵩上げ材の端部に重ね合わせられる重ね合わせ部を形成したことを特徴とする請求項１に記載の側溝嵩上げ材。
【請求項３】
前記重ね合わせ部は、前記開口の一方の大きさを他方のそれより小さくした小径部であることを特徴とする請求項２に記載の側溝嵩上げ材。
【請求項４】
前記重ね合わせ部に、他の側溝嵩上げ材の端部との係止を行う係合部を形成したことを特徴とする請求項２または請求項３のいずれかに記載の側溝嵩上げ材。
【請求項５】
前記側板部のいずれか少なくとも一方を前記底板部に対して外方向に傾斜させたことを特徴とする請求項１〜請求項４のいずれかに記載の側溝嵩上げ材。
【請求項６】
前記両側板部上に覆い被せられて、これらの側板部の少なくともいずれか一方に係止されて当該側溝嵩上げ材に対する位置決めを行う係止部を有したグレーチングを有したことを特徴とする請求項１〜請求項５のいずれかに記載の側溝嵩上げ材。
【請求項７】
前記各側板部の上端に一体化されて、外方または内方に突出するフランジ部１６を形成したことを特徴とする請求項１〜請求項６のいずれかに記載の側溝嵩上げ材。
【請求項８】
前記両フランジ部上に載置されて、これらのフランジ部の少なくともいずれか一方に係止されて当該側溝嵩上げ材に対する位置決めを行う係止部を有したグレーチングを有したことを特徴とする請求項７に記載の側溝嵩上げ材。
【請求項９】
排水路面を形成することになる底板部と、この底板部から一体的に立ち上がる側板部と、これらの側板部と前記底板部との端面に形成された開口とからなる側溝嵩上げ材を使用し、次の各工程を含む側溝の嵩上げ工法。
（１）埋設されている側溝内に嵩上げ材料を投入する工程；
（２）この側溝内に前記側溝嵩上げ材を入れて、その前記底板部を前記嵩上げ材料上に載置する工程；
（３）この側溝嵩上げ材の周囲に客土する工程。
【発明の詳細な説明】
【技術分野】
【０００１】
本発明は、地盤の嵩上げを行うに際して、既に設置されている側溝の嵩上げを、この側溝の除去作業を全く行わないでできるようにした側溝嵩上げ材、及びこれを使用した側溝の嵩上げ工法に関するものである。
【背景技術】
【０００２】
例えば、同じ敷地内で家の新築や増築を行う場合に、周囲の環境変化などによって地盤の嵩上げをする必要がある。そのような場合に、その新築または増築すべき敷地を「更地」にしておいてから客土して、これよってできた図１の（イ）に示すような嵩上げ地盤面３２上に建築作業を始めることが一般的であった。
【０００３】
このとき、図１の（ロ）に示すように、もし敷地内に側溝２０が施工してあれば、この側溝２０を除去してから更地工事を行うのが一般的であったのであるが、この側溝２０の除去作業はそれだけでも大変であり、また除去した側溝２０の廃棄処理も近年では行い辛くなってきている。
【０００４】
そこで、本発明者等は、既に埋設されている側溝２０を除去しないで、嵩上げ地盤面３２を形成するようにするにはどうしたらよいか、について種々検討を重ねたところ、特許文献１に提案されているような「嵩上げ側溝用ブロック及びその施工方法」を見出した。
【特許文献１】特開平８−２０９７９２号公報、要約、代表図
【発明の開示】
【発明が解決しようとする課題】
【０００５】
この特許文献１に記載された技術は、「構造が簡単で廉価に製造することができ、且つ施工が容易なものを提供すること」を目的としてなされたもので、図９に示すように、「Ｕ字形の側溝１１と、該Ｕ字形の側溝１１の開口部上方に設置する一部に導水穴１５を備えた嵩上げブロック１３とから構成され、該嵩上げブロック１３を前記Ｕ字形の側溝１１に対し上下方向に調整可能となるようレベル調整金具１６により連結する構成としたこと」を特徴とするものであり、この特許文献１の「嵩上げ側溝用ブロック」は、埋設されている側溝の除去を行わないで、地盤の嵩上げが行えるものと考えられる。
【０００６】
しかしながら、この特許文献１の「嵩上げ側溝用ブロック」は、下側の側溝側に「レベル調整金具１６」が取り付けられる「ボルト１８」が設けられていることが前提となっているものであり、図１の（ロ）に示した側溝２０のような既設の側溝を前提としてはいないものである。つまり、この特許文献１に記載された「嵩上げ側溝用ブロック」は、埋設されている古い側溝２０には適用することができないものとなっている。
【０００７】
まして、この特許文献１の「ブロック」は、図９に示したように、「レベル調整金具１６」によって下側の側溝に連結しなければならないものであるから、埋設されている側溝２０と同じ幅を有している必要があると考えられる。それだけでなく、この特許文献１の「ブロック」は、当該文献中にはハッキリと明示はされていないものの、所謂コンクリート製のものとして製造しなければならないと考えられ、相当な重量物となっていて運搬や施工が困難になっているものとも考えられる。
【０００８】
そこで、本発明者等は、既に埋設されている側溝２０がどんな形状のものであっても、これを埋設したままの状態で利用しながら地盤の嵩上げが行えるようにするにはどうしたらよいか、について種々検討を重ねてきた結果、本発明を完成したのである。
【０００９】
すなわち、本発明の目的とするところは、既に埋設されている側溝２０をそのまま利用することができて、地盤の嵩上げを行うことのできる側溝用嵩上げ材、及びこれを使用した地盤嵩上げ工法を簡単な構成によって提供することにある。
【課題を解決するための手段】
【００１０】
以上の課題を解決するために、まず、請求項１に係る発明の採った手段は、後述する最良の形態の説明中において使用する符号を付して説明すると、
「埋設されている側溝２０内の嵩上げ材料３３上に載置されて、排水路面を形成することになる底板部１１と、この底板部１１から一体的に立ち上がる側板部１２と、これらの側板部１２と底板部１１との端面に形成された開口１３とからなることを特徴とする側溝嵩上げ材１０」
である。
【００１１】
すなわち、この請求項１に係る側溝嵩上げ材１０は、合成樹脂や金属板によって一体的に形成される軽量なものであり、既設の側溝２０内に入れた、土砂や砕石等の嵩上げ材料３３の上に載置される底板部１１と、この底板部１１の両側から立ち上がる側板部１２と、左右両側に開口している開口１３とからなっているものである。このように、この側溝嵩上げ材１０は構成が非常に簡単なものであるから、特許文献１にて提案されているブロックに比較すれば、その合成樹脂や金属板による製造が非常に簡単に行えるのであり、軽量であることから、運搬や次に示す施工も非常に簡単に行えるのである。
【００１２】
また、この側溝嵩上げ材１０は、図１の（イ）に示すように、嵩上げ材料３３を入れた既設の側溝２０内にそのまま入れて使用されるものであり、各側板部１２の支持は、それ自体の剛性、後に周囲になされる客土、あるいは既設の側溝２０の内壁をそのまま利用してなされるものである。勿論、この側溝嵩上げ材１０は、既設の側溝によって形成されている水路の長さとなるに必要な数が使用されるのである。
【００１３】
さらに、この請求項１に係る側溝嵩上げ材１０は、文言通りに図示すると、図２の（イ）に示すものになるのであるが、図２の（ロ）に示すようなフランジ部１６を有するものも含むものであり、更には、図３に示すような種々な重ね合わせ部１４を有するものも含むものである。そして、この請求項１の側溝嵩上げ材１０は、図５〜図８に示すグレーチング１５を有するものをも含むことは当然である。
【００１４】
勿論、この側溝嵩上げ材１０は、規定長さのものとして形成しておかれるものであり、排水路の長さに応じて複数のものを組み合わせて使用されるものである。このとき、既設の側溝２０内での、当該側溝嵩上げ材１０の支持が十分であれば、その各開口１３を突き合わせて連結すればよい。それだけでは連結が不安定になるようであれば、後述する請求項２の側溝嵩上げ材１０等のように、重ね合わせ部１４を積極的に形成すればよい。この重ね合わせ部１４は、二つの側溝嵩上げ材１０を互いに接合させるにあたって、他の側溝嵩上げ材１０に部分的に重なるようにして当該側溝嵩上げ材１０を施工するものであり、図３及び図４に示すように、接合される二つの側溝嵩上げ材１０の端部において重なり合い部分を形成するものである。
【００１５】
なお、複数の側溝嵩上げ材１０が使用された場合、その繋ぎ目部分は、既設の側溝２０がそれまで十分機能を発揮していたものであれば、完全に塞ぐ必要はない。当該側溝嵩上げ材１０によって形成された水路から排水が下に漏れたとしても、既設の側溝２０がこれを受け取るからである。
【００１６】
この請求項１に係る側溝嵩上げ材１０の実際の施工方法を、図１を参照して説明すると、まず、既設の側溝２０内に嵩上げ材料３３を投入して、側溝嵩上げ材１０側の底板部１１が載置され得る場所を形成する。この場合、嵩上げ地盤面３２が既に設計されているから、側溝嵩上げ材１０の高さと側溝２０の深さから嵩上げ材料３３を入れる高さを逆算しておき、その値通りの深さに嵩上げ材料３３を投入すればよい。
【００１７】
次に、各側溝嵩上げ材１０を側溝２０内に入れるのであるが、このとき、各側溝嵩上げ材１０の側板部１２は底板部１１に対して多少広がった状態で形成されているとよい。何故なら、当該側溝嵩上げ材１０を側溝２０内に入れたとき、各側板部１２が側溝２０の内面に弾力的に当たるようにできるからであり、各側溝嵩上げ材１０の位置決め固定が簡単に行えるからである。そして、各側溝嵩上げ材１０間のレベル調整や隙間調整を行った後、各側溝嵩上げ材１０の周囲に客土を行うのである。
【００１８】
これにより、各側溝嵩上げ材１０の施工が完了するから、後は、敷地内への客土を行って、図１の（イ）に示した嵩上げ地盤面３２を形成するのである。
【００１９】
従って、この請求項１の側溝嵩上げ材１０は、既に埋設されている側溝２０をそのまま利用することができて、地盤の嵩上げを簡単に行うことができるものとなっているのである。
【００２０】
上記課題を解決するために、請求項２に係る発明の採った手段は、上記請求項１に記載の側溝嵩上げ材１０について、
「側板部１２または底板部１１の少なくともいずれか一方の端部に、他の側溝嵩上げ材１０の端部に重ね合わせられる重ね合わせ部１４を形成したこと」
である。
【００２１】
すなわち、この請求項２の側溝嵩上げ材１０は、複数のものを連結して使用するのに適したものとしたものであり、図３の（イ）または（ロ）に示すように、側板部１２または底板部１１の少なくともいずれか一方の端部に重ね合わせ部１４を形成したものである。
【００２２】
この重ね合わせ部１４は、図３の（イ）に示すような開口１３の小径部１３ａ、または図３の（ロ）に示すような薄肉部１４ｃと段部１４ｄとの組合せであってもよく、さらには、図４に示したような形状のものであってもよい。勿論、小径部１３ａや薄肉部１４ｃのような重ね合わせ部１４は、当該側溝嵩上げ材１０を複数連結する場合の位置決めや補強を行い、あるいは流れてきた汚水の次への流し込みを良好に行うためのものであるから、底板部１１あるいは各側板部１２のいずれか少なくとも一つに形成してあればよいものである。
【００２３】
また、この重ね合わせ部１４は、二つの側溝嵩上げ材１０を互いに接合させるにあたって使用されるものであったが、図３及び図４に示すように、接合される二つの側溝嵩上げ材１０の端部において重なり合い部分を形成するのである。この重ね合わせ部１４が存在することによって、当該側溝嵩上げ材１０を複数使用したとき（当然この側溝嵩上げ材１０は規定長さのものとしておき、排水路の長さに応じた複数のものが使用される）の互いの位置が規定されることは当然として、形成した排水路について、接合部における隙間が発生しないようにするものでもある。
【００２４】
従って、この請求項２の側溝嵩上げ材１０は、上記請求項１のそれと同様な効果を発揮する他、排水機能をより確実にすることができるものとなっているのである。
【００２５】
上記課題を解決するために、請求項３に係る発明の採った手段は、上記請求項２に記載の側溝嵩上げ材１０について、
「重ね合わせ部１４は、開口１３の一方の大きさを他方のそれより小さくした小径部１３ａであること」
である。
【００２６】
すなわち、この請求項３の側溝嵩上げ材１０における重ね合わせ部１４は、文字通り、複数の当該側溝嵩上げ材１０の重ね合わせを行えるようにするものであるから、上記請求項２の説明で例示したように種々なものが適用できるものであるが、開口１３の一方の大きさを他方のそれより小さくした小径部１３ａとするのが最も効果的で製造上でも効率がよいものである。何故なら、当該側溝嵩上げ材１０を金属によって形成するにしろ、合成樹脂によって形成するにせよ、いずれの場合も「製造型」において、開口１３の一方の大きさが他方のそれより小さくなるような小径部１３ａが形成できるようにしておけばよく、特別な材料を必要としないからである。
【００２７】
このような開口１３の小径部１３ａを重ね合わせ部１４とした側溝嵩上げ材１０では、図３の（イ）及び（ロ）に示すように、接合される二つの側溝嵩上げ材１０の端部において重なり合い部分を形成するのである。この重ね合わせ部１４が存在することによって、当該側溝嵩上げ材１０を複数使用したときの互いの位置が規定されることは当然として、形成した排水路について、接合部における隙間が発生しないようになされるのである。
【００２８】
図３の（イ）に示した小径部１３ａでは、両側溝嵩上げ材１０が薄い板厚のものである場合に適したものを例示しているが、この場合には、一方の側溝嵩上げ材１０の一つの端部を窄めて小径部１３ａとしておき、この小径部１３ａが内嵌合できるように、他方の側溝嵩上げ材１０の端部はそのままに形成した最も簡単な構成としたものである。これに対して、図３の（ロ）に示した重ね合わせ部１４では、両側溝嵩上げ材１０が比較的厚い板厚のものである場合（例えばコンクリートで形成した場合など）に適したものを例示しているが、この場合には、一方の側溝嵩上げ材１０の一つの端部に薄肉部１４ｃを形成しておき、この薄肉部１４ｃ（実際上はこれが小径部１３ａに該当する）が内嵌合できるように、他方の側溝嵩上げ材１０の端部に段部１４ｄを形成したものである。
【００２９】
従って、この請求項３の側溝嵩上げ材１０は、上記請求項１及び２のそれと同様な効果を発揮する他、重ね合わせ部１４を小径部１３ａとして側溝嵩上げ材１０全体の製造を簡単にできるものとなっているのである。
【００３０】
上記課題を解決するために、請求項４に係る発明の採った手段は、上記請求項２または請求項３の側溝嵩上げ材１０について、
「重ね合わせ部１４に、他の側溝嵩上げ材１０の端部との係止を行う係合部１４ａを形成したこと」
である。
【００３１】
すなわち、この請求項４の側溝嵩上げ材１０は、図３または図４に示すように、他の側溝嵩上げ材１０に対して係合し得る係合部１４ａを、重ね合わせ部１４に形成したものであり、この係合部１４ａは、他の側溝嵩上げ材１０の開口１３近傍に形成した係合穴１４ｂ等に係合されるものである。この係合部１４ａは、上述した重ね合わせ部１４に形成したり、この重ね合わせ部１４が小径部１３ａであるものについては、当該小径部１３ａつまり底板部１１または側板部１２の何れか一方に形成したりして実施できるものであり、上述した係合穴１４ｂ、あるいは他の部材や部分に係合されて、隣接し合う側溝嵩上げ材１０同士の位置決め及び連結固定を行うものである。
【００３２】
従って、この請求項４に係る側溝嵩上げ材１０は、上記請求項２または請求項３のいずれかに記載のそれと沿うような機能を発揮する他、隣接し合う側溝嵩上げ材１０の位置決め及び連結固定を確実に行うことができるものである。
【００３３】
上記課題を解決するために、請求項５に係る発明の採った手段は、上記請求項１〜請求項４のいずれかに記載の側溝嵩上げ材１０について、
「側板部１２のいずれか少なくとも一方を底板部１１に対して外方向に傾斜させたこと」
である。
【００３４】
すなわち、この請求項５の側溝嵩上げ材１０では、図１及び図２に示すように、両側板部１２のいずれか少なくとも一方を外方に広げたものである。
【００３５】
このように、側板部１２が広げられていれば、当該側溝嵩上げ材１０の複数を保管したり運搬したりする場合に、複数の側溝嵩上げ材１０の積み重ねが効率的に行えるものである。また、各側板部１２の上端部が既設の側溝２０の開口より広がっていれば、各側板部１２の側溝２０に対する固定や位置決めを、図１の（イ）に示すように、側板部１２の側溝２０に対する当接によって行うこともできることになる。
【００３６】
従って、この請求項５の側溝嵩上げ材１０は、請求項１〜請求項４のいずれかのそれと同様な効果を発揮する他、複数のものの積み重ねを効率的に行うことができるものとなっているのである。
【００３７】
さらに、上記課題を解決するために、請求項６に係る発明の採った手段は、上記請求項１〜請求項５のいずれかに記載の側溝嵩上げ材１０について、
「両側板部１２上に覆い被せられて、これらの側板部１２の少なくともいずれか一方に係止されて当該側溝嵩上げ材１０に対する位置決めを行う係止部１５ａを有したグレーチング１５を有したこと」
である。
【００３８】
すなわち、この請求項６の側溝嵩上げ材１０は、図５〜図８に示すように、グレーチング１５をも有したものであり、このグレーチング１５は、その裏面などに形成した係止部１５ａによって底板部１１側に係合されるものである。
【００３９】
グレーチング１５は、種々なものが適用できるが、この請求項６に係る側溝嵩上げ材１０では、このグレーチング１５は、両側板部１２上に載置または覆い被せられて、これらの側板部１２の少なくともいずれか一方に係止されながら当該側溝嵩上げ材１０に対する位置決めを行う係止部１５ａを有したものとしてある。
【００４０】
つまり、この側溝嵩上げ材１０では、図５、図６あるいは図８に示すように、グレーチング１５が両側板部１２上に載置または覆い被せられるものであるから、当該側溝嵩上げ材１０の覆いを行って側溝嵩上げ材１０内に落ち葉やゴミが入らない。また、グレーチング１５に形成してある係止部１５ａは、側板部１２の少なくともいずれか一方に係止されて当該側溝嵩上げ材１０に対する位置決めを行うものであるから、側溝嵩上げ材１０への覆蓋施工が簡単に行えるだけでなく、側溝嵩上げ材１０の覆蓋そのものを常に安定した状態で行えるのである。
【００４１】
特に、図５に示すグレーチング１５は、フランジ部１６がない側溝嵩上げ材１０全体に覆い被せられるものであり、係止部１５ａは各側板部１２の上部外面に係合されるものである。図６に示すグレーチング１５は、側溝嵩上げ材１０がフランジ部１６を有する場合を想定したもので、各側板部１２の上部内面に係合される係止部１５ａを有しているとともに、当該グレーチング１５が側溝嵩上げ材１０内に落ち込まないようにするための載置部１５ｂを外端部に形成して、この載置部１５ｂをフランジ部１６上に載置するようにするものである。
【００４２】
また、図７あるいは図８に示す側溝嵩上げ材１０では、係止部１５ａをグレーチング１５の裏面に一体化したものであり、この係止部１５ａが側溝嵩上げ材１０側の側板部１２の外側または内側に嵌合できるようにしたものである。特に、図８に示した係止部１５ａは側溝嵩上げ材１０側の側板部１２の外側に嵌合されるものであり、図８の（イ）に示すように、この係止部１５ａを側溝嵩上げ材１０側の側板部１２に対して止め具１５ｄ等によって位置決め固定できるようにしたものである。
【００４３】
この止め具１５ｄによる位置決め固定を行うとき、最良形態の側溝嵩上げ材１０では、図８の（ロ）に示すように、当該止め具１５ｄが上下動できるような長穴１５ｅが係止部１５ａに形成してあり、この長穴１５ｅ内の適宜位置で止め具１５ｄの固定が自由に行えるようにしてある。排水路を形成するための側溝嵩上げ材１０は、排水が流れ易いようにするために一定の傾斜状態で施工しなければならないものであるが、この側溝嵩上げ材１０の上に載置または覆い被せられる各グレーチング１５によって形成される面は水平面である必要がある。そうすると、僅かに傾斜している側溝嵩上げ材１０に対するグレーチング１５の固定は当然のことながら一致しないことになるが、その場合の微小な調整がこれらの止め具１５ｄ及び長穴１５ｅによって確実になされるのである。
【００４４】
従って、この請求項６の側溝嵩上げ材１０は、請求項１〜請求項５のいずれかのそれと同様な効果を発揮する他、グレーチング１５によって情報開口の覆蓋が行えるものとなっているのである。
【００４５】
また、上記課題を解決するために、請求項７に係る発明の採った手段は、上記請求項１〜請求項６のいずれかに記載の側溝嵩上げ材１０について、
「各側板部１２の上端に一体化されて、外方または内方に突出するフランジ部１６を形成したこと」
である。
【００４６】
すなわち、この請求項７の側溝嵩上げ材１０は、図１の（イ）、図６あるいは図７に示すように、各側板部１２の上端に外方または内方に突出するフランジ部１６を形成したものであり、このフランジ部１６によって側板部１２の上端部が平らになるようにしたものである。
【００４７】
つまり、各フランジ部１６は、各側板部１２の上部の剛性を高めるものであり、運搬や保管を安定した状態で行うことを可能にするだけでなく、施工後の当該側溝嵩上げ材１０の安定化をも図るものである。また、このフランジ部１６は、これによって当該側溝嵩上げ材１０の外側に施工した客土上を覆うこともできるから、当該側溝嵩上げ材１０と客土との間に隙間が形成されることを防止するものでもある。なお、このフランジ部１６は、当該側溝嵩上げ材１０全体の剛性を高めるものとなっている他、当該側溝嵩上げ材１０を施工するに当たっての手掛けともし得るものであり、設置施工を容易にするものである。
【００４８】
さらに、フランジ部１６を有する側溝嵩上げ材１０については、各フランジ部１６がグレーチング１５の載置または覆い被せを安定的に行えるようにするだけでなく、当該側溝嵩上げ材１０と客土との間に隙間が形成されることをも防止する。
【００４９】
従って、この請求項７の側溝嵩上げ材１０は、請求項１〜請求項６のいずれかのそれと同様な効果を発揮する他、フランジ部１６によって全体の剛性を高めているだけでなく、グレーチング１５の載置を安定的に行えるようにもしているのである。
【００５０】
さらに、上記課題を解決するために、請求項８に係る発明の採った手段は、上記請求項７に記載の側溝嵩上げ材１０について、
「両フランジ部１６上に載置されて、これらのフランジ部１６の少なくともいずれか一方に係止されて当該側溝嵩上げ材１０に対する位置決めを行う係止部１５ａを有したグレーチング１５を有したこと」
である。
【００５１】
すなわち、この請求項８の側溝嵩上げ材１０は、グレーチング１５を有したものであり、かつ、このグレーチング１５はその係止部１５ａによってフランジ部１６上に載置され、フランジ部１６に係止されることになるものとしている。
【００５２】
従って、この請求項８の側溝嵩上げ材１０は、上記請求項７のそれと同様な効果を発揮する他、グレーチング１５による効果をも発揮し得るものとなっているのである。
【００５３】
そして、上記課題を解決するために、請求項９に係る発明の採った手段は、
「排水路面を形成することになる底板部１１と、この底板部１１から一体的に立ち上がる側板部１２と、これらの側板部１２と底板部１１との端面に形成された開口１３とからなる側溝嵩上げ材１０を使用し、次の各工程を含む側溝２０の嵩上げ工法。
【００５４】
１埋設されている側溝２０内に嵩上げ材料３３を投入する工程；
２この側溝２０内に側溝嵩上げ材１０を入れて、その底板部１１を嵩上げ材料３３上に載置する工程；
３この側溝嵩上げ材１０の周囲に客土する工程」
である。
【００５５】
すなわち、この請求項９に係る嵩上げ方法は、基本的には、上述した各請求項に係る側溝嵩上げ材１０を採用して、嵩上げしたい土地の嵩上げを行うものであり、その最大の特徴は、既設の側溝２０を掘り起こさなくても、そのままの状態で既にあった排水路を確保できるようにした点である。
【００５６】
この嵩上げ方法を実施するについては、上記各請求項の側溝嵩上げ材１０を説明をする中で殆ど言い尽くしているから、ここでは省略する。
【発明の効果】
【００５７】
以上、説明した通り、本発明においては、
「埋設されている側溝２０内の嵩上げ材料３３上に載置されて、排水路面を形成することになる底板部１１と、この底板部１１から一体的に立ち上がる側板部１２と、これらの側板部１２と底板部１１との端面に形成された開口１３とからなること」
あるいは、
「排水路面を形成することになる底板部１１と、この底板部１１から一体的に立ち上がる側板部１２と、これらの側板部１２と底板部１１との端面に形成された開口１３とからなる側溝嵩上げ材１０を使用し、次の各工程を含む側溝２０の嵩上げ工法。
【００５８】
１埋設されている側溝２０内に嵩上げ材料３３を投入する工程；
２この側溝２０内に側溝嵩上げ材１０を入れて、その底板部１１を嵩上げ材料３３上に載置する工程；
３この側溝嵩上げ材１０の周囲に客土する工程」
にその構成上の主たる特徴があり、これにより、既に埋設されている側溝２０をそのまま利用することができて、地盤の嵩上げを行うことのできる側溝用嵩上げ材１０、及びこれを使用した嵩上げ工法を簡単な構成によって提供することができるのである。
【発明を実施するための最良の形態】
【００５９】
次に、上記のように構成した各請求項に係る発明を、図面に示した最良の形態である側溝嵩上げ材１０について説明するが、この側溝嵩上げ材１０は、上記各請求項に係る発明の全てを実質的に含むものである。
【００６０】
図１の（イ）には、本発明に係る側溝嵩上げ材１０、及びこれを使用した嵩上げ工法が完了した状態が示してあり、図１の（ロ）に示した原地盤面３１の上に客土することにより、これより高い嵩上げ地盤面３２が完成されている。ここで重要なのは、原地盤面３１に既に施工してあった側溝２０は、掘り起こして撤去することは行われていないことであり、むしろこの側溝２０をそのまま利用しながら、本発明に係る側溝嵩上げ材１０を使用して嵩上げ地盤面３２上に排水路がそのまま形成されていることである。
【００６１】
側溝嵩上げ材１０は、図２の（イ）あるいは（ロ）に示したようなグレーチング１５を有さないタイプのものと、図５〜図７に示したようなグレーチング１５を有したものとがあるが、基本的には、埋設されている側溝２０内の嵩上げ材料３３上に載置されて、排水路面を形成することになる底板部１１と、この底板部１１から一体的に立ち上がる側板部１２と、これらの側板部１２と底板部１１との端面に形成された開口１３とからなるものである。この側溝嵩上げ材１０は、金属や合成樹脂を材料として一体的に形成されたり、あるいは既設の側溝２０と同様にコンクリートによって形成されるものである。
【００６２】
また、この側溝嵩上げ材１０は、図２の（イ）に示したように、各側板部１２の上端にフランジ部１６を有さないタイプのものと、図２の（ロ）に示したように、各側板部１２の上端にフランジ部１６を一体的に形成したタイプのものとが考えられる。フランジ部１６を有さない側溝嵩上げ材１０は、フランジ部１６を形成しなくてよい分簡単に製造できるというメリットを有し、一方、フランジ部１６を有する側溝嵩上げ材１０は、このフランジ部１６によって全体の剛性を高めたり、後述するグレーチング１５の支持部としたりすることができるというメリットを有している。
【００６３】
さらに、この側溝嵩上げ材１０は、既設されていた側溝２０による排水路を同じ位置に高さを変えて形成するためのものであるから、全体形状は、底板部１１と、その両側から立ち上がる一対の側板部１２からなる所謂「Ｕ字溝」としたものであり、その両端は開口１３としてある。側溝嵩上げ材１０の一方を閉じるということも考えられるが、一般的な建設資材とするためには、開口１３を両端に形成しておいた方が汎用性が高まることはいうまでもない。
【００６４】
このような「Ｕ字溝」である側溝嵩上げ材１０では、その各側板部１２のいずれか少なくとも一方を、開口１３に対して外方に傾斜させたものとするとよい。側板部１２が広げられていれば、当該側溝嵩上げ材１０の複数を保管したり運搬したりする場合に、複数の側溝嵩上げ材１０の積み重ねが効率的に行えるからである。また、各側板部１２の上端部が既設の側溝２０の開口より広がっていれば、各側板部１２の側溝２０に対する固定や位置決めを、図１の（イ）に示したように、側板部１２の側溝２０に対する当接によって行うこともできるからである。
【００６５】
上述した開口１３は、図４に示した例のように、他の側溝嵩上げ材１０に突き合わせて使用できるようにして実施してもよいが、図３の（イ）に示したように、小径部１３ａとすることにより他の側溝嵩上げ材１０の他方側に差込できるようにしたり、あるいは、図３の（ロ）に示したように、この開口１３に薄肉部１４ｃを形成して、この薄肉部１４ｃが他の側溝嵩上げ材１０内に嵌合できるように実施してもよい。
【００６６】
つまり、この開口１３の小径部１３ａが請求項２等で述べている重ね合わせ部１４となるのである。重ね合わせ部１４は、複数の側溝嵩上げ材１０を互いに連結して排水路とする際に、隣接し合う側溝嵩上げ材１０についての重なり合い部分を形成するもので、上述した開口１３の小径部１３ａをそのまま採用する他、底板部１１または側板部１２の何れか少なくとも一方を突出させてこれを重ね合わせ部１４とするように実施してもよいものである。
【００６７】
なお、図４に示した例では、各開口１３の上部では、他の側溝嵩上げ材１０に対して突き合わせができるものとしてあるが、底板部１１及び各側板部１２の一部を開口１３から突出する重ね合わせ部１４として、この重ね合わせ部１４が他の側溝嵩上げ材１０内に差し込まれるようにしてある。このようにすることによって、排水路となる複数の側溝嵩上げ材１０の位置決めや連結作業を簡単に行え、排水機能を確実にすることができる。
【００６８】
各重ね合わせ部１４は、単なる差込タイプのものとするだけでなく、図３あるいは図４に示したように、これに係合部１４ａを積極的に形成し、この係合部１４ａが係止されるべき係合穴１４ｂを他の側溝嵩上げ材１０側に形成しておくとよい。そうすれば、一つの側溝嵩上げ材１０を他の側溝嵩上げ材１０に連結するに際して、図３及び図４に示したように、係合部１４ａを係合穴１４ｂに差し込むように施工することができ、各側溝嵩上げ材１０の連結を確実なものとすることができるからである。
【００６９】
このような係合部１４ａは、図３の（ロ）に示したような例の場合、つまり一方の側溝嵩上げ材１０に形成した薄肉部１４ｃを、他方の側溝嵩上げ材１０に形成した段部１４ｄ内に係合させるものである場合には、これらの薄肉部１４ｃまたは段部１４ｄにこの係合部１４ａを一体的に形成しておき、この係合部１４ａが差し込まれるべき係合穴１４ｂを、段部１４ｄまたは薄肉部１４ｃに形成すればよい。
【００７０】
この側溝嵩上げ材１０は、前述したように、グレーチング１５を備えたものとしてもなされる。グレーチング１５は、例えば図７に示したようなものであり、当該側溝嵩上げ材１０に載置されたり覆い被せられたりするものであり、様々な形態のものが考えられるものである。
【００７１】
側溝嵩上げ材１０が後述するフランジ部１６を有さないものである場合には、グレーチング１５としては、図５に示したように、側溝嵩上げ材１０の各側板部１２の外側に嵌合される係止部１５ａを形成したものとすればよい。また、このグレーチング１５の係止部１５ａとしては、図８に示すように、ボルトや長ネジ等の止め具１５ｄによって側溝嵩上げ材１０側の各側板部１２に固定できるように実施してもよい。この場合、この止め具１５ｄの上下方向の位置調整を行えるようにするために、図８の（ロ）に示したように、係止部１５ａに上下方向の長穴１５ｅを形成しておくとよい。
【００７２】
また、側溝嵩上げ材１０がフランジ部１６を有するものである場合には、図６及び図７に示したように、フランジ部１６上に載置される載置部１５ｂを、各側板部１２の内側に嵌合される係止部１５ａの外端に一体的に形成するか、フランジ部１６上に載置される載置部１５ｂを有した程度の大きさのものを採用すればよい。図７または図８に示した側溝嵩上げ材１０では、グレーチング１５の下側に、側溝嵩上げ材１０側の側板部１２の内側または外側に係合される位置決め部１５ｃを一体的に形成したものである。
【００７３】
図６及び図７に示した側溝嵩上げ材１０では、グレーチング１５の両側を載置部１５ｂとしたものであるが、この載置部１５ｂは側溝嵩上げ材１０側のフランジ部１６上に載置されるものである。この載置部１５ｂは、図７に示したように、これに係止部１５ａを一体的に形成しておいて、この係止部１５ａがフランジ部１６側の止め部１６ａに係合できるようにすることもなされる。
【００７４】
勿論、この側溝嵩上げ材１０は、図１の（イ）、図６あるいは図７に示したように、各側板部１２の上端に外方または内方に突出するフランジ部１６を形成して実施してもよいものであり、このフランジ部１６によって側板部１２の上端部を平らにし、かつ剛性を高めたものとすることができる。
【００７５】
つまり、各フランジ部１６は、各側板部１２の上部の剛性を高めるものであり、運搬や保管を安定した状態で行うことを可能にするだけでなく、施工後の当該側溝嵩上げ材１０の安定化をも図るものである。また、このフランジ部１６は、これによって当該側溝嵩上げ材１０の外側に施工した客土上を覆うこともできるから、当該側溝嵩上げ材１０と客土との間に隙間が形成されることを防止するものでもある。なお、このフランジ部１６は、当該側溝嵩上げ材１０全体の剛性を高めるものとなっている他、当該側溝嵩上げ材１０を施工するに当たっての手掛けともし得るものであり、設置施工を容易にするものである。
【００７６】
さらに、フランジ部１６を有する側溝嵩上げ材１０については、各フランジ部１６がグレーチング１５の載置または覆い被せを安定的に行えるだけでなく、当該側溝嵩上げ材１０と客土との間に隙間が形成されることをも防止する。
【図面の簡単な説明】
【００７７】
【図１】本発明に係る側溝嵩上げ材を使用して地盤の嵩上げを行う様子を示すもので、（イ）は嵩上げが完了したときの部分断面図、（ロ）は施工前の状態を示す部分断面図である。
【図２】本発明に係る側溝嵩上げ材を示すもので、（イ）はフランジ部を有さない例を示す斜視図、（ロ）はフランジ部を有する例を示す斜視図である。
【図３】二つの側溝嵩上げ材を連結した場合の例を示すもので、（イ）は小径部を利用した連結を行った例を示す部分拡大断面図、（ロ）は薄肉部と段部を利用した連結を行った例を示す部分拡大断面図である。
【図４】二つの側溝嵩上げ材を連結した他の例を示すもので、重ね合わせ部１４を利用した例を示す部分拡大断面図である。
【図５】本発明に係る側溝嵩上げ材であってグレーチングを有するものの縦断面図である。
【図６】同側溝嵩上げ材であってグレーチングを有するものの他の例を示す縦断面図である。
【図７】同側溝嵩上げ材であって形態が異なるグレーチングを有するものを示す縦断面図である。
【図８】同側溝嵩上げ材であって形態が異なるグレーチングを有するものの他のを示すもので、（イ）は縦断面図、（ロ）は（イ）に示した係止部を拡大して示した部分側面図である。
【図９】従来の技術を示す斜視図である。
【符号の説明】
【００７８】
１０    側溝嵩上げ材
１１    底板部
１２    側板部
１３    開口
１３ａ  小径部
１４    重ね合わせ部
１４ａ  係合部
１４ｂ  係合穴
１４ｃ  薄肉部
１４ｄ  段部
１５    グレーチング
１５ａ  係止部
１５ｂ  載置部
１５ｃ  位置決め部
１５ｄ  止め具
１５ｅ  長穴
１６    フランジ部
１６ａ  止め部
２０    側溝
３１    原地盤面
３２    嵩上げ地盤面
３３    嵩上げ材料
【図１】
2006200309.tif 000003
【図２】
2006200309.tif 000004
【図３】
2006200309.tif 000005
【図４】
2006200309.tif 000006
【図５】
2006200309.tif 000007
【図６】
2006200309.tif 000008
【図７】
2006200309.tif 000009
【図８】
2006200309.tif 000010
【図９】
2006200309.tif 000011